(57)【特許請求の範囲】
【請求項１】
芳香液が浸透不可能な非浸透性部材と、該非浸透性部材上に配置され前記芳香液を含浸する素焼きとからなり、該素焼きの上部外面に釉薬を塗布したことを特徴とする芳香器。
【請求項２】
前記非浸透性部材は、前記素焼きが配置される座面と該座面の周部に起立する環状壁とからなる台座であることを特徴とする請求項１記載の芳香器。
【請求項３】
前記素焼きは、底面に開口部を有し、該開口部が対向する上面より大径の器体であることを特徴とする請求項１又は２記載の芳香器。
【請求項４】
芳香液が浸透不可能な台座と、該台座上に配置され前記芳香液を吸収可能な吸収体と、該吸収体上に配置され前記芳香液を含浸可能な素焼きとからなり、該素焼きの上部外面に釉薬を塗布したことを特徴とする芳香器。
【請求項５】
前記素焼きは、底面に開口部を有し、該開口部が相対向する上面より大径の器体であることを特徴とする請求項４記載の芳香器。
【請求項６】
前記吸収体の周部を前記素焼きの外部に露呈させたことを特徴とする請求項４記載の芳香器。
【請求項７】
前記吸収体の周部に切欠部を設け、該切欠部を介して前記器体の内部を外気と連通状態としたことを特徴とする請求項６記載の芳香器。
【請求項８】
前記台座は、前記吸収体が配置される座面と該座面の周部に起立する環状壁とからなることを特徴とする請求項４記載の芳香器。
【請求項９】
前記座面に、その中心部が隆起し周縁に向かって下降するテーパー面を設けたことを特徴とする請求項８記載の芳香器。
【請求項１０】
前記台座の環状壁の内周面に、前記器体の外周面に接触する複数の接触片を設けたことを特徴とする請求項８記載の芳香器。
【請求項１１】
前記素焼きは、上面に開口部を有し、該開口部が対向する底面より大径の器体であることを特徴とする請求項４記載の芳香器。
【発明の詳細な説明】
【０００１】
【産業上の利用分野】
本発明は、芳香液を含浸させた状態でその芳香成分を揮散させる芳香器に関する。
【０００２】
【従来の技術】
従来の芳香器としては、例えば実開昭５５−１４３８４６号公報、実開昭５９−８５２３２号公報、実開昭６３−１４８３３９号公報等に開示されたものが提案されている。これらの芳香器は、芳香液を素焼き等の多孔質素材よりなる器体に収容して器体周壁に浸透させるとともに、この器体周壁に浸透した芳香液の芳香成分を外部に揮散させ、器体の周囲に芳香空間を形成するものである。
【０００３】
【発明が解決しようとする課題】
しかしながら、この種芳香器にあっては、不揮発成分が素焼きの器体に含浸した場合には、最終的に不揮発成分は器体の上部に移行して、当該部分において目詰まりを発生させる。目詰まりが生ずると、器体の揮散面積が変化し、よって、目詰まりに左右されることなく一定の揮散率をもって芳香成分を揮散させることができない。
【０００４】
本発明は、このような従来の課題に鑑みてなされたものであり、目詰まりに左右されることなく一定の揮散率をもって芳香成分を揮散させる芳香器を提供することを目的とするものである。
【０００５】
【課題を解決するための手段】
前記課題を解決するために本発明にあっては、芳香液が浸透不可能な非浸透性部材と、該非浸透性部材上に配置され前記芳香液を含浸する素焼きとからなり、該素焼きの上部外面に釉薬を塗布してある。また、前記非浸透性部材は、前記素焼きが配置される座面と該座面の周部に起立する環状壁とからなる台座であり、あるいは、前記素焼きは、底面に開口部を有し、該開口部が対向する上面より大径の器体である。
【０００６】
また、本発明は、芳香液が浸透不可能な台座と、該台座上に配置され前記芳香液を吸収可能な吸収体と、該吸収体上に配置され前記芳香液を含浸可能な素焼きとからなり、該素焼きの上部外面に釉薬を塗布してある。
【０００７】
加えて、前記吸収体の周部を前記素焼きの外部に露呈させ、又は、前記吸収体の周部に切欠部を設け、該切欠部を介して前記器体の内部を外気と連通状態とし、ここで前記台座は、前記吸収体が配置される座面と該座面の周部に起立する環状壁とからなり、前記座面に、その中心部が隆起し周縁に向かって下降するテーパー面を設けてある。また、前記台座の環状壁の内周面に、前記器体の外周面に接触する複数の接触片を設けることが好ましい。
【０００８】
【作用】
前記構成において、前記素焼きの上部外面に釉薬を塗布しておくと、この釉薬が塗布された部分からの芳香成分の揮散はなく、よって、釉薬が塗布されてない部分からのみ芳香成分は揮散する。そして、不揮発成分が素焼きに含浸した場合には、最終的に不揮発成分は器体の上部に移行して、当該部分において目詰まりを発生させる。しかし、素焼きの上部外面には釉薬が塗布されて、元々芳香成分の揮散はないことから、目詰まりが生じても器体の揮散面積に変化はなく、よって、目詰まりに左右されることなく一定の揮散率をもって芳香成分が揮散する。
【０００９】
さらに、台座上に吸収体を配置し、該吸収体上に素焼きを配置した構成においても、芳香液は短時間で吸収体に吸収された後、該吸収体に吸収された芳香液が素焼きに移行し、また、残渣は吸収体側に捕捉される。また、台座の座面にその中心部が隆起し周縁に向かって下降するテーパー面を設けることにより、座面上に配置された吸収体の中心部に芳香液を滴下すると、当該部分にて吸収しきれない芳香液がテーパー面を流下して周囲に分散する。したがって、芳香液は分散しながら吸収体に吸収され、より短時間で芳香液を吸収体に吸収させることができる。さらに、吸収体の周部に切欠部を設け、該切欠部を介して前記器体の内部を外気と連通状態としておくことにより、器体の内部への空気の通流路が確保され、芳香成分の揮散が促進される。
【００１０】
【実施例】
以下、本発明の一実施例を図にしたがって説明する。図１は、本発明の一実施例にかかる芳香器を示すものであり、芳香液が浸透不可能な合成樹脂、金属等からなる台座１７には、円形の座面１８と該座面１８の周部に起立する環状壁１９とが設けられている。前記座面１８には、図２に示したように、その中心部が隆起し周縁に向かって下降するテーパー面２０が設けられており、前記環状壁１９の内周面には、後述する器体の外周面に接触する複数の接触片２１・・・が設けられている。
【００１１】
前記座面１８上には、吸収体１４が配置されており、該吸収体１４の周部には複数の切欠部２２が設けられている。吸収体１４上には、器体１５が載置されており、該器体１５は素焼きであって円錐台形に形成されている。すなわち、器体１５には上壁１６及びテーパー状の周壁１１が設けられているとともに、底面に開口部１２が設けられており、該開口部１２は、前記上壁１６より大径に形成されている。なお、図２の（Ｂ）に示したように、前記切欠部２２は吸収体１４の中心方向において器体１５の内側に至る長さを有し、したがって、器体１５を吸収体１４上に配置した状態において、器体１５の内部は切欠部２２を介して外部と連通状態に維持されている。
【００１２】
また、図３に示すように、器体１５の上壁１６の全体と周壁１１の上端部に、釉薬１３が塗布されている。
【００１３】
以上の構成にかかる本実施例において、使用に際しては図２の（Ａ）に示したように、器体１５を除去した状態で芳香液５を吸収体１４に滴下すると、この滴下した芳香液５は瞬時に吸収体１４に吸収される。このとき、座面１８にはテーパー面２０が設けられていることから、吸収体１４の滴下した部分にて吸収しきれない芳香液５はテーパー面２０を流下して周囲に分散する。したがって、芳香液５は分散しながら吸収体１４に吸収され、より短時間で芳香液５を吸収体１４に吸収させることができる。また、座面１８の周縁には環状壁１９が設けられていることから、吸収体１４の最大吸収量以上の芳香液５を滴下した場合には、剰余した芳香液５の外部への流出が防止され、芳香液５が載置面７上に至ることはない。
【００１４】
このようにして、芳香液５を吸収体１４に吸収させた後、図２の（Ｂ）に示したように器体１５を吸収体１４上に配置すると、前記複数の接触片２１が器体１５の外周面に当接し、器体１５は安定した状態に保持される。また、吸収体１４の内部に浸透した芳香液５は、徐々に器体１５の周壁１１及び該周壁１１を介して上壁１６に浸透し含浸される。この周壁１１に含浸された芳香液５に含まれている芳香成分は、周壁１１の表面より揮散して、周囲空間に拡散する。このとき、器体１５の内部は切欠部２２を介して外部と連通状態に維持されていることから、器体１５内への空気の通流路が確保されて、芳香成分の揮散が促進され、これにより広い周囲空間に亙って芳香効果を得ることができる
【００１５】
また、上壁１６の全体と周壁１１の上端部には釉薬１３が塗布されていることから、器体１５に浸透した芳香液５の芳香成分は、周壁１１の釉薬１３が塗布されていない領域のみから揮散する。
【００１６】
他方、前述のように芳香液５には不揮発性成分が含有されており、この不揮発性成分からなる残渣は密度の低い吸収体１４側に専ら捕捉され、素焼きの器体１５側への移行が防止される。しかし、吸収体１４により捕捉されずに器体１５側に移行した残渣があった場合には、この残渣は吸収体１４からの芳香液５の吸い上げに伴って、器体１５の上壁１６に移行し、該上壁１６において目詰まりを生じさせる。このとき、器体１５の上壁１６には釉薬１３が塗布されて元々芳香成分の揮散はないことから、目詰まりが生じても器体１５の揮散面積に変化はない。よって、目詰まりに左右されることなく、一定の揮散率をもって芳香成分が揮散し、これにより一定な芳香状態を長期に亙って得ることができる。
【００１７】
なお、実施例においては、台座１７の座面１８上に吸収体１４を敷設し、該吸収体１４に芳香液５を吸収させた後、器体１５を吸収体１４上に配置するようにした。しかし、吸収体１４を用いることなく、台座１７の座面１８上に直接芳香液５を滴下した後、この芳香液５が滴下された座面１８上に器体１５を配置して、該器体１５に芳香液５を浸透させるようにしてもよい。また、予め座面１８上に芳香液５が滴下された台座１７を、破断可能な樹脂フィルム等により密封包装しておき、使用に際してはこの樹脂フィルム等を破断して除去し、前記座面１８上に直接器体１５を配置し、若しくは吸収体１４を敷設した後、該吸収体１４上に器体１５を配置するようにしてもよい。
【００１８】
さらには、予め芳香液５を吸収させた吸収体１４を破断可能な樹脂フィルム等により密封包装しておき、使用に際してはこの樹脂フィルムを破断して、吸収体１４を取り出して、前記座面１８上に配置し、吸収体１４上に器体１５を配置するようにしてもよい。
【００１９】
【発明の効果】
以上説明したように本発明は、素焼きの上部外面に釉薬を塗布したことから、芳香液の芳香成分は釉薬が塗布されていない領域のみから揮散し、他方芳香液に含有されている残渣が素焼き側に移行した場合には、この残渣は芳香液の吸い上げに伴って、素焼きの上部に移行して目詰まりを生じさせる。しかし、素焼きの上部外面には釉薬が塗布されて元々芳香成分の揮散はないことから、目詰まりが生じても素焼きの揮散面積に変化はない。よって、目詰まりに左右されることなく、一定の揮散率をもって芳香成分が揮散し、これにより一定な芳香状態を得ることができる。
【００２０】
さらに、素焼きをその下端に開口部を有し、該開口部の径が上壁より大径の器体としたことから、器体は素焼きであっても１個ずつ手作りする必要なく、機械的に大量生産が可能となる。よって、器体を機械的に大量生産することにより低コスト化を図り、これによりこの素焼きによる高級感を得つつ低廉化を図ることができる。
【００２１】
また、芳香液が浸透不可能な台座上に吸収体を配置し、該吸収体上に成形体あるいは素焼きを配置するようにした。よって、芳香液に含まれている不揮発性成分からなる残渣を吸収体側に捕捉して、残渣が成形体や素焼き側に移行することを防止することができる。よって、成形体や素焼きが残渣により目詰まりする不都合が解消されて、含浸性を長期に亙って維持することができる。その結果、継続して多数回再使用することでき、これにより長期に亙る再使用が可能となる。
【００２２】
また、吸収体の周部を前記素焼きの外部に露呈させたことから、吸収体に吸収された芳香液が素焼きに移行する前であっても、吸収体の露呈している部分から芳香液の芳香成分を揮散させることができる。したがって、吸収体に吸収された芳香液が器体側に移行していない使用開始直後であっても、芳香効果を得ることができる。
【００２３】
加えて、吸収体の周部に切欠部を設け、該切欠部を介して器体の内部を外気と連通状態としたことから、器体内への空気の通流路が確保されて、芳香成分の揮散が促進され、これにより広い周囲空間に亙って芳香効果を得ることができる。
また、吸収体が配置される台座を、座面と該座面の周部に起立する周壁とで構成したことから、吸収体の最大吸収量以上の芳香液を滴下した場合に、剰余した芳香液の外部への流出を防止することができる。
【００２４】
しかも、前記座面に、その中心部が隆起し周縁に向かって下降するテーパー面を設けたことから、吸収体において芳香液が滴下された部分にて吸収しきれない芳香液はテーパー面を流下して周囲に分散する。したがって、芳香液は分散しながら吸収体に吸収され、より短時間で芳香オイルを吸収体に吸収させることができる。
【００２５】
また、台座の周壁の内周面に、器体の外周面に接触する複数の接触片を設けたことから、該複数の接触片が器体の外周面に当接することにより、器体を安定した状態で吸収体上に保持することができる。
【図面の簡単な説明】
【図１】本発明の一実施例を示す分解斜視図である。
【図２】同実施例の垂直断面図である。
【図３】同実施例のより詳細な垂直断面図である。
【符号の説明】
５    芳香液
７    載置面
９    器体
１１    周壁
１２    開口部
１３    釉薬
１４    吸収体
１５    器体
１６    上壁
１７    台座
１８    座面
１９    環状壁
２０    テーパー面
２１    接触片
２２    切欠部
【図１】
0003556235.tif 000002
【図２】
0003556235.tif 000003
【図３】
0003556235.tif 000004